(57)【特許請求の範囲】
【請求項１】
便器後方の上面に固定される取付部材と、
該取付部材に設置される温水洗浄器本体と、
前記取付部材に対して前記温水洗浄器本体を設置位置から移動自在に連結した連結部材とを備える温水洗浄装置において、
前記温水洗浄器本体を前記連結部材に対して移動方向に案内する第１案内手段と、
前記取付部材に対して前記連結部材を移動方向に案内する第２案内手段と、
前記取付部材に対して前記温水洗浄器本体を前記設置位置で前記取付部材に解除可能に係止する係止手段と、
前記連結部材と前記温水洗浄器本体とを解除可能に連結する第１連結手段と、
前記連結部材と前記取付部材とを解除可能に連結する第２連結手段と、
前記各連結手段による連結によって前記連結部材が取付けられた状態、及び、前記各連結手段による連結が解除されて前記連結部材が取外された状態の何れの場合でも、前記取付部材と温水洗浄器本体とを移動可能に案内する第３案内手段とを備えることを特徴とする温水洗浄装置。
【請求項２】
第１連結手段と第２連結手段とは、
それぞれ係止部とこの係止部に係合する弾性変形可能な係合部材とを備え、
係合部材を弾性変形させて連結を解除し、
連結部材を取り外すことを特徴とする請求項１に記載の温水洗浄装置。
【発明の詳細な説明】
【０００１】
【発明の属する技術分野】
この発明は、便器に設置され、人体局部を温水にて洗浄する温水洗浄装置に関する。
【０００２】
【従来の技術】
従来の温水洗浄装置は、温水洗浄器本体を固定ボルトとナットあるいはネジを使用して便器の後方上面に固定していたため、温水洗浄器本体を簡単に着脱することができなかった。このため、温水洗浄器本体と便器との間を清掃する場合には、多くの時間を要した。
【０００３】
そこで、近年では、温水洗浄器本体が便器と容易に着脱可能としたものや、温水洗浄器本体が便器に設置された状態から移動可能とした温水洗浄装置が開発されている。例えば、図７に示す従来の温水洗浄装置９０ａでは、温水洗浄器本体１０１が便器１０に設置された状態から移動可能としたものが公知である。尚、この図７は、従来の温水洗浄装置９０ａを平面図で示している。
【０００４】
この従来の温水洗浄装置９０ａは、便器１０の後部上面に取付ベース９２が２本の固定ボルト８、８によって取付られおり、温水洗浄器本体１０１と取付ベース９２との間には、両者を連結した連結機構９３が設けられている。また、温水洗浄器本体１０１と取付ベース９２は図示しない係止手段によって、第１位置（設置位置）から動かないように係止されており、移動させる場合には係止手段を解除するようになっている。
【０００５】
取付ベース９２と温水洗浄器本体１０１が係止状態の時、すなわち、温水洗浄器本体１０１が便器１０に係止されている第１位置から便器手前に移動する場合は、取付ベース９２に温水洗浄器本体１０１と係止している係止手段を解除し、温水洗浄器本体１０１を手前に引く。すると、連結機構９３が伸びるから、温水洗浄器本体１０１の下側に隠れていた便器１０の後方部の上面部分がすべて露出するような便器手前の第２位置（図７に示す位置）まで移動する。この時、温水洗浄器本体１０１は便器１０の上面の第２位置よりも更に移動することが阻止されており、清掃の際に温水洗浄器本体１０１が便器１０から落下することを、防止している。
【０００６】
しかし、温水洗浄器本体１０１の移動距離に制限があり、更に、連結機構９３が温水洗浄器本体１０１と取付ベース９２の間に伸びた状態にあるため連結機構９３の下側は清掃できなくなる等、清掃可能範囲も制限される。
【０００７】
また、図８は別の従来の温水洗浄装置９０ｂを示しており、この従来の温水洗浄装置９０ｂでは、温水洗浄器本体１０１が便器１０から着脱可能な構成になっている。図８に示す従来の温水洗浄装置９０ｂでは、便器１０の後部上面に取付ベース９４が２本の固定ボルト８、８によって取付られている。取付ベース９４には、便器１０の前後方向とはほぼ直交する方向（図８において左右方向）に摺動可能なロックレバー９５が取付られている。このロツクレバー９５には係止片９６及び９７があり、温水洗浄器本体１０１に設けられた突起部９８及び９９に係合するようになっている。また、ロックレバー９５は、引っ張りスプリング９１により図中右方向に付勢されており、ロックレバー９５の自由状態で突起部９８及び９９と、係止片９６及び９７とが係合する。
【０００８】
そして、取付ベース９４から温水洗浄器本体１０１を取り外す場合には、まず、ロツクレバー９５を引っ張りスプリング９１の付勢方向とは反対の左方向（図８中矢印方向）に押す。次に、ロックレバー９５を押した状態のまま、温水洗浄器本体１０１の突起部９８及び９９とロックレバー９５の係止片９６及び９７との係合が外れる位置まで温水洗浄器本体１０１を手前方向（便器前方）に引く。これで、取付ベース９４と温水洗浄器本体１０１との係止状態が解除される。この状態から更に、温水洗浄器本体１０１を手前方向に引くと、温水洗浄器本体１０１と取付ベース９４とが外れ、温水洗浄器本体１０１は取付ベース９４から離れる。
【０００９】
以上により、便器１０の後方上面が空き、その部分の清掃が可能となる。図８に示す従来の温水洗浄装置９０ｂの場合、温水洗浄器本体１０１は便器から完全に取り外しできるので清掃範囲が広くとれる。
【００１０】
【発明が解決しようとする課題】
しかし、前者の図７に示す従来の温水洗浄装置９０ａの場合には、温水洗浄器本体１０１が便器１０に固定された状態から所定の範囲まで移動可能としているので、移動後、温水洗浄器本体１０１は便器１０の上面において、取付ベース９２に係止されており、清掃の際に、温水洗浄器本体１０１が便器１０から落下するおそれがないものの、温水洗浄器本体１０１の移動距離に制限があり、しかも連結機構９３の下側の清掃ができないため、清掃可能範囲が制限され、清掃性が低下するという課題がある。
【００１１】
これに対して、後者の図８に示す従来の温水洗浄装置９０ｂでは、温水洗浄器本体１０１と便器１０とが容易に着脱可能であり、温水洗浄器本体１０１を取付ベース９４から取り外した後、温水洗浄器本体１０１は自由に便器１０上を移動可能であるので清掃範囲が広くとれる。但し、温水洗浄器本体１０１を便器１０上に係止できないので、便器１０からの床へ落下するおそれがある。また、清掃の際は、温水洗浄器本体１０１を床面に置く等の処置が必要となる。
【００１２】
以上のように、上述した従来の温水洗浄装置９０ａ及び９０ｂには、一長一短があり、温水洗浄器本体１０１と便器１０との間の清掃を行うために、需要者はどちらか一方の清掃態様を選択せざるを得ない。このため、清掃態様について需要者の要求に充分に対応できないという課題があった。
【００１３】
本発明は、上記事情に鑑みてなされたもので、需要者の要求に応じた態様で清掃ができる温水洗浄装置の提供を目的とする。
【００１４】
【課題を解決するための手段】
請求項１に記載の発明は、図３に示すように、便器１０後方の上面に固定される取付部材（取付ベース２）と、該取付部材（取付ベース２）に設置される温水洗浄器本体１と、前記取付部材（取付ベース２）に対して前記温水洗浄器本体１を設置位置から移動自在に連結した連結部材（スライダ３）とを備える温水洗浄装置Ａにおいて、前記温水洗浄器本体１を前記連結部材（スライダ３）に対して移動方向に案内する第１案内手段（第１係入溝１６、１７及び第１ガイド部３３、３４）と、前記取付部材（取付ベース２）に対して前記連結部材（スライダ３）を移動方向に案内する第２案内手段（第２係入溝２３、２４及び第２ガイド部３５、３６（図２参照））と、前記取付部材（取付ベース２）に対して前記温水洗浄器本体１を前記設置位置で前記取付部材（取付ベース２）に解除可能に係止する係止手段（係止突起部２１、２２及び係合部５１、５２）と、前記連結部材（スライダ３）と前記温水洗浄器本体１とを解除可能に連結する第１連結手段（第１弾性爪１１、１２及び係合突起部３１、３２）と、前記連結部材（スライダ３）と前記取付部材（取付ベース２）とを解除可能に連結する第２連結手段（ストッパ６、７及び当接端部２３ａ、２４ａ（図４参照））と、前記各連結手段（第１連結手段、及び、第２連結手段）による連結によって前記連結部材（スライダ３）が取付けられた状態、及び、前記各連結手段（第１連結手段、及び、第２連結手段）による連結が解除されて前記連結部材（スライダ３）が取外された状態の何れの場合でも、前記取付部材（取付ベース２）と温水洗浄器本体１とを移動可能に案内する第３案内手段（固定ボルト８及び第３係入溝１４、１５）とを備えることを特徴とする。
【００１５】
この請求項１に記載の発明では、便器１０や温水洗浄装置Ａを清掃する場合には、まず、係止手段（係止突起部２１、２２及び係合部５１、５２）の係止状態を解除して、温水洗浄器本体１を取付部材（取付ベース２）から移動可能な状態にし、温水洗浄器本体１を便器１０の前方に引き寄せる。温水洗浄器本体１は、第１案内手段（第１係入溝１６、１７及び第１ガイド部３３、３４）及び第２案内手段（第２係入溝２３、２４及び第２ガイド部３５、３６（図２参照））に沿って、連結部材（スライダ３）とともにその移動方向に案内される。連結部材（スライダ３）は取付部材（取付ベース２）及び温水洗浄器本体１に対して、それぞれ第１連結手段（第１弾性爪１１、１２及び係合突起部３１、３２）と、第２連結手段（ストッパ６、７及び当接端部２３ａ、２４ａ（図４参照））とにより連結状態にあるので、所定範囲以上は移動できないように制限される。
【００１６】
従って、温水洗浄器本体１が便器１０から落下することがなく、温水洗浄器本体１を設置位置から移動させることができる。温水洗浄器本体１の設置位置における温水洗浄器本体１の下を清掃する場合には、このように、温水洗浄器本体１を移動させて清掃する。
【００１７】
しかし、この状態では、連結部材（スライダ３）の下は洗浄しにくい。そこで、需要者により、連結部材（スライダ３）の下を清掃する要求がある場合には、連結部材（スライダ３）を外したものを製品としたり、あるいは需要者が清掃時に連結部材（スライダ３）を外す。
【００１８】
連結部材（スライダ３）を外す場合には、第１連結手段（第１弾性爪１１、１２及び係合突起部３１、３２）を解除して連結部材（スライダ３）と温水洗浄器本体１との連結を外し、第２連結手段（ストッパ６、７及び当接端部２３ａ、２４ａ（図４参照））を解除して連結部材（スライダ３）と取付部材（取付ベース２）との連結を外す。これによって、温水洗浄器本体１から連結部材（スライダ３）を容易に外すことができる。
【００１９】
連結部材（スライダ３）を外した温水洗浄装置Ａにおいて、温水洗浄器本体１では、清掃の際には、取付部材（取付ベース２）と温水洗浄器本体１とを係止している係止手段（係止突起部２１、２２及び係合部５１、５２）を解除すると、温水洗浄器本体１は、取付部材（取付ベース２）から取り外し可能になる。従って、温水洗浄器本体１を便器１０から自由に移動できるとともに、連結部材（スライダ３）がないから、広い範囲を清掃することができる。尚、清掃後には、温水洗浄器本体１を係止手段（係止突起部２１、２２及び係合部５１、５２）により取付部材（取付ベース２）に直接係止させて固定する。
【００２０】
即ち、本発明では連結部材（スライダ３）を必要に応じて、取り外すことができるため、簡易な構成で且つ容易に需要者が要求する清掃態様の温水洗浄装置Ａを提供することができる。
【００２１】
また、連結部材（スライダ３）を外した場合には、第３案内手段（固定ボルト８及び第３係入溝１４、１５）が取付部材（取付ベース２）に対して温水洗浄器本体１の移動を案内するので、連結部材（スライダ３）がない状態でも狭い範囲は移動により清掃ができるとともに、清掃後は第３案内手段（固定ボルト８及び第３係入溝１４、１５）が温水洗浄器本体１を設置位置に案内する。このため、狭い範囲を移動させる場合には温水洗浄器本体１を支持できるので、清掃が容易であり、温水洗浄器本体１を元の設置位置へ戻すのも容易である。
【００２２】
請求項２に記載の発明は、請求項１に記載の発明において、第１連結手段（第１弾性爪１１、１２及び係合突起部３１、３２）と第２連結手段（ストッパ６、７及び当接端部２３ａ、２４ａ（図４参照））とは、それぞれ係止部（係合突起部３１、３２）とこの係止部（係合突起部３１、３２）に係合する弾性変形可能な係合部材（第１弾性爪１１、１２及び当接端部２３ａ、２４ａ（図４参照））とを備え、係合部材（第１弾性爪１１、１２及び当接端部２３ａ、２４ａ（図４参照））を弾性変形させて連結を解除し、連結部材（スライダ３）を取り外すことを特徴とする。
【００２３】
この請求項２に記載の発明によれば、第１連結手段（第１弾性爪１１、１２及び係合突起部３１、３２）と第２連結手段（ストッパ６、７及び当接端部２３ａ、２４ａ（図４参照））とは、それぞれ係合部材（第１弾性爪１１、１２及び当接端部２３ａ、２４ａ（図４参照））を弾性変形させることによって、解除できるので、連結部材（スライダ３）の取り外し及び取付が容易である。
【００２５】
【発明の実施の形態】
以下に、添付図面の図１乃至図６を参照して、本発明の実施の形態を詳細に説明する。図１は、本実施の形態にかかる温水洗浄装置Ａを示しており、温水洗浄器本体１が便器１０に設置された状態の平面図である。図２は、図１に示す設置位置における温水洗浄装置Ａと便器１０との断面図である。図３は、本発明に係る温水洗浄器本体１が便器１０上を移動した状態を示す平面図である。図４は、温水洗浄器本体１と取付ベース２とスライダ３との連結部を拡大して示す平面図である。尚、図１、図３、図４は、便座、便蓋等を省略し温水洗浄器本体１の下側を透視して示している。
【００２６】
図１において、取付ベース２は、便器１０の後部上面に固定されており、便器１０に設けられた一対の穴に対向した位置で、取付ベース２に２本の固定ボルト８、８を長孔２ａ、２ｂに挿入し、ナット８２、８２（図２参照）により止めている。長孔２ａ、２ｂは、便器１０の前後方向（図１の上下方向）に延出しており、固定位置調整が可能になっている。
【００２７】
また、取付ベース２の両側部には、係止突起部２１及び２２が突設されており、後述する温水洗浄器本体１のロックバー５から突設した係合部５１、５２と係合するようなっている。
【００２８】
図３に示すように、温水洗浄器本体１には、第３係入溝１４及び１５が前後方向に延出されており、この第３係入溝１４及び１５に固定ボルト８、８の頭部が温水洗浄器本体１の後部水平方向より挿入可能となっている。そして、固定ボルト８、８の頭部がこの第３係入構１４及び１５に係入することにより、温水洗浄器本体１は、取付ベース２に対して案内可能に係合されている。
【００２９】
また、温水洗浄器本体１には、温水洗浄器本体１を取付ベース２に解除可能に係止するロックバー５と、このロックバー５の摺動を操作する解除レバー４が設けられている。このロックバー５は、便器１０の前後方向に対して直交方向である左右方向（図１における左右方向）に摺動可能に設けられており、且つこのロックバー５は、スプリング９により左方向に付勢されている。また、ロックバー５には、上述の取付ベース２の係止突起部２１及び２２に対応する位置に係合部５１及び５２が突設されており、温水洗浄器本体１が設置位置で取付ベース２に係止されるようになっている。
【００３０】
解除レバー４は、温水洗浄器本体１に取付られた軸１３を中心に回動可能に取り付けられており、解除レバー４の作動端４２はロックバー５に軸支され、操作端４１は人の手によって回動操作されるようになっており、操作端４１は温水洗浄器本体１の右側端付近まで伸びている。
【００３１】
取付ベース２と温水洗浄器本体１とは、スライダ３により連結されており、取付ベース２に対して温水洗浄器本体１を所定の範囲まで移動可能としている。このスライダ（連結部材）３は、温水洗浄器本体１及び取付ベース２のそれぞれに対して、前後方向に摺動可能に係合されている。
【００３２】
スライダ３と温水洗浄器本体１との係合は、上述の第３係入溝１４及び１５よりも内側に設けられた第１係入溝（第１案内手段）１６及び１７と、スライダ３に設けられた突状の第１ガイド部（第１案内手段）３３及び３４とによりなされており、温水洗浄器本体１に対して、スライダ３を前後方向に移動可能に案内している。即ち、第１係入溝１６及び１７は、温水洗浄器本体１の裏面側でそれぞれ前後方向に延出されており、スライダ３に対して温水洗浄器本体１が前後方向に移動可能である。
【００３３】
また、スライダ３には、図４に示すように、その先端部（前方向）に係合突起部３１及び３２が突設されている。一方、温水洗浄器本体１にはその後端部（後方向）に弾性変形可能な第１弾性爪１１及び１２が設けらえており、これらの係合突起部３１及び３２と、第１弾性爪１１及び１２が相互に係合することにより第１連結手段を構成し、スライダ３に対して温水洗浄器本体１の移動が制限され、抜け止めがされている。尚、温水洗浄器本体１に対してスライダ３を外す場合には第１弾性爪１１及び１２を弾性変形させてたわませることにより、スライダ３と温水洗浄器本体１との連結を解除する。
【００３４】
一方、スライダ３と取付ベース２とは、取付ベース２に設けられた第２係入溝２３及び２４と、スライダ３に設けられた第２ガイド部３５及び３６（図２参照）とで第２係合手段を構成しており、取付ベース２に対してスライダ３が移動可能になっている。
【００３５】
スライダ３には、その後端部に弾性変形可能なストッパ６及び７が突設されており、取付ベース２の第２係入溝２３及び２４に形成された当接端部２３ａ及び２４ａに係合するようになっている。これらのストッパ６及び７と、当接端部２３ａ及び２４ａとが相互に係合することにより、取付ベース２に対してスライダ３の移動が制限され、抜け止めがされている。
【００３６】
尚、スライダ３の、ストッパ６及び７の対応する位置には、操作孔３８及び３９が設けられており、これらの操作孔３８及び３９からドライバ等の治具を挿入してストッパ６及び７を容易に外すことができるようになっている。尚、取付ベース２に対してスライダ３を外す場合には、ストッパ６及び７を弾性変形させてたわませることにより、取付ベース２とスライダ３との連結が解除されるようになっている。
【００３７】
上述した取付ベース２とスライダ３とを係合した第１案内手段の摺動範囲と、スライダ３と温水洗浄器本体１とを係合した第２案内手段の摺動範囲とを合計した摺動範囲により、温水洗浄器本体１が便器１０に設置された状態から移動できる範囲が決められている。
【００３８】
次に、本実施の形態の動作について説明するが、まず、スライダ３を取り付けた状態における温水洗浄器本体１の移動について説明する。
【００３９】
温水洗浄器本体１を図３に示す移動後の状態から図１に示す設置位置に固定する場合には、温水洗浄器本体１を図３の状態から便器１０の後方へ移動させていくと、スライダ３においては、温水洗浄器本体１に連結された前部と、取付ベース２に連結された後部とが、温水洗浄器本体１に収納されるように便器１０の後方へ移動する。
【００４０】
そして、移動の途中では、温水洗浄器本体１の第３係入溝１４及び１５に固定ボルト８、８の頭部が係入され、取付ベース２と温水洗浄器本体１とが直接係合し始める。
【００４１】
更に、温水洗浄器本体１を便器１０の後方へ押し込むと、温水洗浄器本体１に配置されたロックバー５の係合部５１及び５２が、取付ベース２に設けられた係止突起部２１及び２２の傾斜面に沿って当接しながら移動することにより、スプリング９の付勢力に抗して、ロツクバー５が右方向へ移動する。そして、ロックバー５の係合部５１及び５２が、係止突起部２１及び２２を乗り越える位置まで温水洗浄器本体１を移動すると、ロックバー５はスプリング９の付勢力により左方向に移動し、図１で示すように温水洗浄器本体１と取付ベース２は係止状態となる。即ち、取付ベース２の係止突起部２１及び２２とロックバー５の係合部５１及び５２との係合が自動的に完了する。この間、スライダ３は、温水洗浄器本体１の下に収納され、温水洗浄器本体１とスライダ３と取付ベース２は相互に重なった状態となり、温水洗浄器本体１が便器１０の設置位置で固定される。
【００４２】
次に、便器１０や温水洗浄装置Ａを清掃する場合等に温水洗浄器本体１を図１に示す設置位置から図３に示す位置に移動させる場合について説明する。
【００４３】
この場合には、図１に示すように、取付ベース２と温水洗浄器本体１の係止状態を解除し、温水洗浄器本体１を図１に示す設置位置から手前に移動させるが、まず、温水洗浄器本体１の右端付近まで伸びた解除レバー４の操作端４１を手前方向に引く。そうすると、温水洗浄器本体１に設けられた軸１３を中心に解除レバー４が時計方向（右回転方向）に回動し、その作動端４２にリンクしているロックバー５は、スプリング９の付勢力に抗して付勢方向とは反対の右方向に移動する。これにより、ロックバー５の係合部５１及び５２と、取付ベース２の係止突起部２１及び２２の係合が外れる。
【００４４】
更に、解除レバー４の操作端４１を手前に引きながら、ロックバー５の係合部５１及び５２と、取付ベース２の係止突起部２１及び２２との係合が完全に外れる位置まで温水洗浄器本体１を手前方向に移動させると温水洗浄器本体１と取付ベース２の係止状態が解除される。
【００４５】
更に、温水洗浄器本体１を手前方向（前方向）に引くと、図４に示すように、第１係入溝１６及び１７に対してスライダ３に設けられた突状の第１ガイド部３３及び３４が案内され、スライダ３に対して温水洗浄器本体１が移動を続ける。一方、スライダ３と取付ベース２とでは、取付ベース２に設けられた第２係入溝２３及び２４と、スライダ３に設けられた第２ガイド部３５及び３６（図２参照）とにより、取付ベース２に対してスライダ３の移動が案内される。
【００４６】
そして、取付ベース２対して温水洗浄器本体１が所定距離移動して、図３に示す位置まで達すると、スライダ３と温水洗浄器本体１とでは、図４に示すように、弾性変形可能な第１弾性爪１１及び１２が係合突起部３１及び３２に相互に係合することにより、スライダ３に対して温水洗浄器本体１の移動が制限され、それ以上移動できなくなる。また、これにより抜け止めがされている。
【００４７】
一方、スライダ３と取付ベース２とでは、ストッパ６及び７と、当接端部２３ａ及び２４ａとが相互に係合することにより、取付ベース２に対してスライダ３の移動が制限され、それ以上移動できなくなり、これにより上述の温水洗浄器本体１の場合と同様に抜け止めがされている。
【００４８】
このように、温水洗浄器本体１は、スライダ３と温水洗浄器本体１との間及びスライダ３と取付ベース２との間にそれぞれ設けられた抜け止めにより決められる移動限界位置まで移動し、移動が完了する。
【００４９】
この移動限界位置は、温水洗浄器本体１が便器１０に設置された移動前の位置で温水洗浄器本体１の下側に隠れていた部分がすべて露出する位置であり、且つ便器１０から温水洗浄器本体１が外れない位置になるように設定されている。
【００５０】
このような移動範囲を設定することにより、温水洗浄器本体１を充分に移動させた後に、便器１０上面の清掃ができる。この時、温水洗浄器本体１はスライダ３により取付ベース２と連結状態にあり、便器１０上面にその姿勢を水平に保った状態にあるので、便器１０上面から落下したり、温水洗浄器本体１内部の水が漏れる等の心配はない。
【００５１】
ただし、スライダ３に対する抜け止めがされているから、温水洗浄器本体１の移動距離に制限があり、さらに、スライダ３が温水洗浄器本体１と取付ベース２の間に連結状態にあるためスライダ３の下側は清掃できなくなる等、清掃可能範囲が制限されてしまう。
【００５２】
これに対して、温水洗浄器本体１が便器１０に設置された状態から移動可能な構成とした温水洗浄装置Ａの清掃性を、さらに向上したいという需要者の要求もある。この場合、温水洗浄器本体１が便器１０と容易に着脱可能な構成とすることが考えられるが、本実施の形態では、スライダ３を取り外すことにより実現できる。以下、スライダ３を取り外した場合について説明する。
【００５３】
先ず、スライダ３を取り外す場合には、図４に示すように、温水洗浄器本体１を取付ベース２に対して引き寄せた状態で、スライダ３に形成されている操作孔３８、３９に指やドライバ等の治具等を差し込んでストッパ６及び７を弾性変形させて係入溝の当接端部２３ａ及び２４ａとの係合を外す。これにより、スライダ３と取付ベース２との連結が外れるので、温水洗浄器本体１をこれに連結したスライダ３とともに更に便器１０の前方に引き寄せる。次に、温水洗浄器本体１の底面側から、第１弾性爪１１及び１２を上述した治具を用いて弾性変形させ、スライダ３の係合突起部３１及び３２との係合を外し、スライダ３を温水洗浄器本体１から外す。このように、スライダ３を外した状態で、取付ベース２に温水洗浄器本体１を直接係止させておく。
【００５４】
尚、スライダ３を取り外すのは、工場から製品を出荷する前でもよいし、作業者が設置するとき、あるいは需要者が洗浄する時等、必要に応じて行うものであってもよい。
【００５５】
以下に、図５及び図６を参照して、スライダ３を取り外した状態における動作について説明する。図５は、スライダを取り外した状態において温水洗浄器本体１が便器１０に固定された状態を示す部分断面図である。図６は温水洗浄器本体１が便器１０から外された状態を示す平面図である。尚、図６は、便座、便蓋等を省略し本体の下側を透視した状態を示している。
【００５６】
図５と図６において、温水洗浄器本体１と取付ベース２との係合関係や係止は、上述したように、スライダ３が温水洗浄器本体１と取付ベース２と連結している場合と同じである。即ち、取付ベース２の係止突起部２１及び２２とロックバー５の係合部５１及び５２とが係合して、温水洗浄器本体１がその設置位置において、取付ベース２に係止される。
【００５７】
この状態から温水洗浄器本体１を取り外す場合について説明する。まず、上述したスライダ３がある場合と同様に、温水洗浄器本体１の右端付近まで伸びた解除レバー４の操作端４１を手前に引きながら、温水洗浄器本体１を手前方向に移動させると、取付ベース２の係止突起部２１、２２からロックバー５の係合部５１及び５２が外れ、温水洗浄器本体１と取付ベース２との係止伏態が解除される。この状態から、更に、温水洗浄器本体１を手前に引くと、温水洗浄機器本体１と取付ベース２の第３の案内手段、即ち、温水洗浄器本体１の第３係入溝１４及び１５が固定ボルト８の頭部に対してスライドし、両者の係入が外れ、温水洗浄器本体１が便器１０から外された状態となる。この状態で、温水洗浄器本体１は、自由な移動が可能である。
【００５８】
このようにして、温水洗浄器本体１を自由に移動し、または取り外すことによって、便器１０の後方上面が空き、清掃が可能となる。この場合、上述したスライダ３がある場合と違って、スライダ３の下側が清掃できないということはなく、また、温水洗浄器本体１は自由に便器１０上を移動可能であるので清掃範囲が広くとれる。ただし、温水洗浄器本体１が取付ベース２と連結していないため、便器１０からの床への落下を防止するため、清掃の際は、温水洗浄器本体１を床面に置く等の処置を施す。また、床面等に不安定な姿勢で置かれた時に、誤って温水洗浄器本体１が作動しないように防止するために、温水洗浄器本体に転倒検知スイッチ等を設けることが好ましい。
【００５９】
本発明は、上述した実施の形態に限らず、本発明の要旨を逸脱しない範囲で種々変形可能である。
【００６０】
【発明の効果】
請求項１に記載の発明によれば、連結部材及び温水洗浄器本体は、それぞれ第１連結手段と、第２連結手段とにより解除可能に連結されているので、連結部材を必要に応じて、取り外すことができるから、簡易な構成で且つ容易に需要者が要求する清掃態様を選択することができる。
【００６１】
また、連結部材を外した場合には、第３案内手段が取付部材に対して温水洗浄器本体が移動を案内するので、連結部材がない状態でも所定範囲はスライドにより清掃ができるとともに、清掃後は第３案内手段が温水洗浄器本体を設置位置に案内する。このため、所定範囲の清掃時には温水洗浄器本体を支持できるので、清掃が容易であり、元の設置位置へ戻すのも容易である。
【００６２】
請求項２に記載の発明によれば、第１連結手段と第２連結手段とは、それぞれ係合部材を弾性変形させることによって、解除できるので、連結部材の取り外し及び取付が容易である。
【図面の簡単な説明】
【図１】本発明の実施の形態にかかる温水洗浄装置の温水洗浄器本体が取付ベースに係止された状態を示す平面図である。
【図２】図１における主要部の断面図である。
【図３】図１に示す温水洗浄器本体が取付ベースから移動した状態を示す平面図である。
【図４】図３に示す状態における温水洗浄器本体とスライダと取付ベースとの連結状態を拡大して示す平面図である。
【図５】スライダを取り外した温水洗浄装置において、温水洗浄器本体が取付ベースに係止された状態の断面図である。
【図６】図５に示す温水洗浄装置において、温水洗浄器本体を取付ベースから外した状態を示す平面図である。
【図７】従来の温水洗浄装置において温水洗浄器本体を取付ベースから移動させた状態を示す平面図である。
【図８】従来の温水洗浄装置において温水洗浄器本体を取付ベースから外した状態を示す平面図である。
【符号の説明】
Ａ．温水洗浄装置、  １．温水洗浄器本体、  ２．取付ベース（取付部材）、２ａ．２ｂ．長孔、  ３．スライダ（連結部材）、  ４．解除レバー、  ５．ロックバー、  ６．７．ストッパ（第２連結手段）、  ８．固定ボルト、  ９．スプリング、  １０．便器、  １１．１２．第１弾性爪（第１連結手段）、  １３．軸、  １４．１５．第３係入溝（第３案内手段）、  １６．１７．第１係入溝（第１案内手段）、  ２１．２２．係止突起部（係止手段）、  ２３．２４．第２係入溝（第２案内手段）、  ２３ａ．２４ａ．当接端部（第２連結手段）、  ３１．３２．係合突起部（第１連結手段）、  ３３．３４．第１ガイド部（第１案内手段）、  ３５．３６．第２ガイド部（第２案内手段）、  ３８．３９．操作孔、  ４１．操作端、  ４２．作動端、  ５１．５２．係合部（係止手段）、８２．ナット、  ９０ａ．９０ｂ．従来の温水洗浄装置、  ９１．引っ張りスプリング、９２．取付ベース、  ９３．連結機構、９４．取付ベース、９５．ロックレバー、９６．９７．係止片、  ９８．９９．突起部、１０１．温水洗浄器本体。
【図１】
0004055029.tif 000002
【図２】
0004055029.tif 000003
【図３】
0004055029.tif 000004
【図４】
0004055029.tif 000005
【図５】
0004055029.tif 000006
【図６】
0004055029.tif 000007
【図７】
0004055029.tif 000008
【図８】
0004055029.tif 000009